(57)【要約】【課題】  本発明は、液晶ディスプレイの利用者側面に電気的にオン・オフ可能な液晶製の遮蔽装置を設置することによって、他人に覗き見される心配なく、利用者が液晶画面の表示を安心して見ることを可能とする技術を提供しようとするものである。さらに本発明は、よりきめ細かな制御が可能である液晶を遮蔽面として用いることを提案するものである。【解決手段】  本発明は液晶表示構造体にかかるものであって、複数の液晶表示画素からなる液晶表示画素配列部と、前記液晶表示画素配列部上に配置される前記液晶表示画素の全部又は、一部を所定の視線方向から遮蔽するための遮蔽面を形成するための遮蔽液晶部と、を有する液晶表示構造体であって、遮蔽液晶部は、前記遮蔽面が、複数の視線方向から前記液晶表示画素の全部又は一部を遮蔽するように構成される液晶表示構造体である。【選択図】図１
2005107306.tif 000002
【特許請求の範囲】
【請求項１】
複数の液晶表示画素からなる液晶表示画素配列部と、
前記液晶表示画素配列部上に配置される前記液晶表示画素の全部又は、一部を所定の視線方向から遮蔽するための遮蔽面を形成するための遮蔽液晶部と、
を有する液晶表示構造体。
【請求項２】
遮蔽液晶部は、前記遮蔽面が、複数の視線方向から前記液晶表示画素の全部又は一部を遮蔽するように構成される請求項１に記載の液晶表示構造体。
【請求項３】
前記所定の視線方向は、液晶表示面に対する略真正面以外からの視線方向であって、略左正面方向、略右正面方向、略上正面方向、略下正面方向、略上右正面方向、略下右正面方向、略下左正面方向、略上左正面方向からなる視線方向群のうち、何れか一又は二以上の組み合わせからなる視線方向である請求項１又は請求項２のいずれか一に記載の液晶表示構造体。
【請求項４】
前記遮蔽液晶部は、二層構造である請求項１から３のいずれか一に記載の液晶表示構造体。
【請求項５】
前記遮蔽液晶部は、三層以上の構造である請求項１から３のいずれか一に記載の液晶表示構造体。
【請求項６】
前記遮蔽液晶部は、前記液晶表示画素配列部面に対して略垂直方向に遮蔽面を形成する請求項１から５の何れか一に記載の液晶表示構造体。
【請求項７】
前記遮蔽液晶部は、前記液晶表示画素配列部面に対して所定の角度で遮蔽面を形成する請求項１から５の何れか一に記載の液晶表示構造体。
【請求項８】
前記遮蔽液晶部は、前記遮蔽面を形成する角度を変化させる遮蔽面角度調節手段をさらに有する請求項１から５の何れか一に記載の液晶表示構造体。
【請求項９】
前記遮蔽液晶部を駆動して前記遮蔽面をスイッチ可能な遮蔽面駆動部をさらに有する請求項１から８の何れか一に記載の液晶表示構造体。
【請求項１０】
前記遮蔽液晶部を駆動して前記遮蔽面をスイッチ可能な遮蔽面駆動部をさらに有し、
前記遮蔽面駆動部は、前記遮蔽面のうち、前記視線方向群に含まれる何れか一又は二以上の組合せからなる視線方向を選択的にスイッチ可能である選択スイッチ手段を有する請求項１から８のいずれか一に記載の液晶表示構造体。
【請求項１１】
前記遮蔽面駆動部は、一の視線方向から所定の領域の前記液晶表示画素の全部を遮蔽し、かつ、他の視線方向からは、前記遮蔽される領域の前記液晶表示画素の部分的交互の高い周波数での遮蔽と非遮蔽の繰り返しによる前記全部の画素を視認可能とするための高速スイッチ手段を有する請求項９または１０のいずれか一に記載の液晶表示構造体。
【請求項１２】
前記遮蔽液晶部を駆動して前記遮蔽面をスイッチ可能な遮蔽面駆動部をさらに有し、
前記遮蔽面駆動部は、前記二層以上の遮蔽液晶部を個別に駆動することにより遮蔽面により遮蔽すべき視線方向を変化させることができる請求項４又は請求項５のいずれか一に記載の液晶表示構造体。
【請求項１３】
前記遮蔽液晶部は、前記液晶表示画素の一部を所定の視線方向から遮蔽することにより文字、図形、記号を表すことが可能である請求項１から１２の何れか一に記載の液晶表示構造体。
【請求項１４】
請求項１から１３の何れか一に記載の液晶表示構造体を含む電子機器。
【請求項１５】
ソフトウエアを保持するソフト保持部と、
前記ソフト保持部に保持されているソフトウエアを実行する実行部と、
を有し、
前記遮蔽面駆動部は、前記実行部で実行されるソフトウエアから前記遮蔽面を形成するための命令であるソフト遮蔽命令を取得するためのソフト遮蔽命令取得手段を有する請求項１４に記載の電子機器。
【請求項１６】
時間を示す情報である時間情報を取得する時間情報取得部を有し、
前記遮蔽面駆動部は、前記時間情報取得部が取得した時間情報に基づいて前記遮蔽面を形成するための時間依存遮蔽手段をさらに有する請求項１４又は請求項１５のいずれか一に記載の電子機器。
【請求項１７】
位置を示す情報である位置情報を取得する位置情報取得部を有し、
前記遮蔽面駆動部は、前記位置情報取得部が取得した位置情報に基づいて前記遮蔽面を形成するための位置依存遮蔽手段をさらに有する請求項１４から１６の何れか一に記載の電子機器。
【請求項１８】
通信をするための通信部を有し、
前記遮蔽面駆動部は、前記通信部を介して前記遮蔽面を駆動するための命令である遮蔽面駆動命令を取得する遮蔽面駆動命令取得手段を有する請求項１４から１７のいずれか一に記載の電子機器。
【請求項１９】
前記液晶表示画素配列部により構成される液晶画面の利用者にとっての上下・左右を示す位置関係を示す情報である液晶画面位置関係情報を取得する液晶画面位置関係情報取得部を有し、
前記遮蔽面駆動部は、前記液晶画面位置関係情報取得部が取得した液晶画面位置関係情報に基づいて前記遮蔽面を遮蔽するための液晶画面位置関係情報依存遮蔽手段をさらに有する請求項１４から１８のいずれか一に記載の電子機器。
【請求項２０】
前記液晶画面位置関係情報依存遮蔽手段は、視線方向として液晶画面の略左正面方向となる視線方向及び略右正面方向となる視線方向から前記液晶表示画素配列部上に配置される前記液晶表示画素の全部又は、一部を遮蔽する請求項１９に記載の電子機器。
【請求項２１】
前記液晶画面位置関係情報依存遮蔽手段は、視線方向として液晶画面の略上正面方向となる視線方向及び略下正面方向となる視線方向から前記液晶表示画素配列部上に配置される前記液晶表示画素の全部又は、一部を遮蔽する請求項１９に記載の電子機器。
【発明の詳細な説明】
【技術分野】
【０００１】
本発明は、液晶画面を利用したカメラ、携帯電話、コンピューター、テレビなどの液晶遮蔽技術に関する。
【背景技術】
【０００２】
近年、液晶画面が様々なところで用いられている。液晶画面が用いられるところは概して、携帯電話、コンピューター端末、銀行のキャッシュディスペンサーなどの、個人情報が入出力されたり、金銭の取引、などの高いセキュリティーが要求される場面での利用が増加している。
【０００３】
また、携帯電話においては画像の伝送も一般的になりつつあり、どこでも手軽に操作することができるが故に逆に、公衆の中におけるプライバシー確保の問題が重要になってきている。
【０００４】
また、こうした情報が盗まれたり、プライバシーが侵害されることによって、個人の財産や貴重な個人データが危険にさらされるという問題も考えられる。このために、液晶画面を覗き見できないような液晶画面システムを構築することは、社会的にも意義がある。
【０００５】
一方、従来の液晶の遮蔽技術としては、偏向フィルターを利用したセキュリティ保護フィルムのようなものはあるが、液晶画面の明るさを大きく損なうという問題がある。また、フレネルレンズを表示装置面に設置するという技術もあるが、厚みがあるために、昨今の折り畳み式の携帯電話には取り付けられない、という問題点もある。従来の技術は、概して、覗き見防止のためにディスプレイ上にフィルムを貼るものが多く、多方向から見たり、あるいは視野角を狭くしたりといった切り替えを行うことはできない。
【特許文献１】特開２００１−１８８１０８
【特許文献２】特開２００１−２２８９７０
【発明の開示】
【発明が解決しようとする課題】
【０００６】
したがって、本発明は、液晶ディスプレイの利用者側面に電気的にオン・オフ可能な遮蔽装置を構成することによって、たとえば、周囲から覗かれそうな場合には、遮蔽装置をオンにして周囲から見えにくくすることによって、利用者が液晶ディスプレイの表示を安心して見ることを可能とする技術を提供しようとするものである。さらに、本発明は、液晶そのものを遮蔽面として用いることによって、きめ細かな制御を可能にし、液晶画面の遮蔽技術を完成しようとするものである。
【課題を解決するための手段】
【０００７】
本発明は液晶表示構造体にかかるものであって、複数の液晶表示画素からなる液晶表示画素配列部と、前記液晶表示画素配列部上に配置される前記液晶表示画素の全部又は、一部を所定の視線方向から遮蔽するための遮蔽面を形成するための遮蔽液晶部と、を有する液晶表示構造体であって、遮蔽液晶部は、前記遮蔽面が、複数の視線方向から前記液晶表示画素の全部又は一部を遮蔽するように構成され、さらに、前記所定の視線方向は、液晶表示面に対する略真正面以外からの視線方向であって、略左正面方向、略右正面方向、略上正面方向、略下正面方向、略上右正面方向、略下右正面方向、略下左正面方向、略上左正面方向からなる視線方向群のうち、何れか一又は二以上の組み合わせからなる視線方向である液晶表示構造体である。
【発明の効果】
【０００８】
本発明の請求項１から２１に記載の液晶表示構造体と、これを含む電子機器によれば、以下に示すような優れた効果を奏し得る。（１）利用者のみ液晶画面を見ることができ、覗き見を防止することができる。（２）液晶画面の遮蔽をスイッチすることができるので、多人数で液晶画面を見る、あるいは、ひとりで液晶画面を見る、など画面表示の方法を選択できる。（３）複数人で楽しむゲームなどにおいて、見る角度によって異なる画像を見せることも可能になる。（４）パスワード、個人情報、プライバシーに関する情報などを覗き見や、盗み見することが困難になる。
【発明を実施するための最良の形態】
【０００９】
以下、本発明の実施の形態を添付図面を参照して説明する。
実施形態１は主に請求項１などに関する。実施形態２は主に請求項２などに関する。実施形態３は主に請求項３などに関する。実施形態４は主に請求項４などに関する。実施形態５は主に請求項５などに関する。実施形態６は主に請求項６などに関する。実施形態７は主に請求項７などに関する。実施形態８は主に請求項８などに関する。実施形態９は主に請求項９などに関する。実施形態１０は主に請求項１０などに関する。実施形態１１は主に請求項１１などに関する。実施形態１２は主に請求項１２などに関する。実施形態１３は主に請求項１３などに関する。実施形態１４は主に請求項１４などに関する。実施形態１５は主に請求項１５などに関する。実施形態１６は主に請求項１６などに関する。実施形態１７は主に請求項１７などに関する。実施形態１８は主に請求項１８などに関する。実施形態１９は主に請求項１９などに関する。実施形態２０は主に請求項２０などに関する。実施形態２１は主に請求項２１などに関する。
【００１０】
≪実施形態１≫（実施形態１の構成）図１を用いて実施形態１を説明する。実施形態１は、液晶表示画素配列部０１０１と、遮蔽液晶部０１０２と、を有する液晶表示構造体０１０３に関するものである。
【００１１】
（実施形態１の構成の説明）「液晶表示画素配列部」は、複数の液晶表示画素からなる。「液晶表示画素」は画面を構成するための最小のドットを表示するための構造要素を言う。「遮蔽液晶部」は、前記液晶表示画素配列部上に配置される前記液晶表示画素の全部又は、一部を遮蔽するための遮蔽面を形成する。さらに、この「遮蔽面」は、前記液晶表示画素の全部又は、一部を所定の視線方向から遮蔽するためのものである。遮蔽面はまた、液晶によってつくられる。また、前記遮蔽の対象となる液晶表示画素と同じ液晶を用いて遮蔽面を作ることによって、遮蔽面のきめ細かい制御が可能になる。
【００１２】
「視線方向」とは、両目から液晶表示画素配列部を見る並行な視線のことであり、両目の角度差は考慮しない。液晶表示画素は、視線に対して十分に微小であり、両目の視線の角度差は無視できるからである。
【００１３】
図２（ａ）に、液晶表示画素配列部と遮蔽液晶部の平面的配置を示す。所定の視線方向から液晶表示画素配列部の全部を遮蔽するための遮蔽液晶部は、黒で着色した部分である。また、同様に図２（ｂ）に、液晶表示画素配列部と遮蔽液晶部の平面的配置を示す。この図においては、所定の視線方向から液晶表示画素配列部の一部を遮蔽するための遮蔽液晶部を黒に着色している。
【００１４】
図３に示すのは、所定の視線方向から液晶表示画素配列部の全部を遮蔽するための遮蔽液晶部の並びである。なお、この例では、液晶表示画素配列部において、遮蔽液晶部と平面的に重なる画素は、非表示である。
【００１５】
図４に示すのは、所定の視線方向から液晶表示画素配列部の一部を遮蔽するための遮蔽液晶部の並びである。なお、この例においても、液晶表示画素配列部において、遮蔽液晶部と平面的に重なる画素は、非表示である。
【００１６】
図５に、遮蔽液晶部の構造を示す。たとえば、液晶表示画素と同じ、もしくはそれよりも小さなサイズの透明な電極の間に液晶が封入されており、スイッチがオンになった場合には光を遮蔽し、スイッチがオフになったときに光が透過する。スイッチのオンオフと光の遮蔽と透過の関係が逆になる場合もある。
【００１７】
（実施形態１の効果）    実施形態１によって、覗き見が難しい液晶表示が可能になり、個人認証データや個人情報およびプライバシーにかかわる情報など、高いセキュリティーが要求される情報を守るという効果を奏する。
【００１８】
≪実施形態２≫    （実施形態２の構成）    実施形態２は、実施形態１を基本として、特徴点は、実施形態１の遮蔽液晶部は、複数の視線方向から前記液晶表示画素の全部又は一部を遮蔽するように構成される点をあげることができる。
【００１９】
（実施形態２の構成の説明）    実施形態２の、液晶表示画素配列部と、遮蔽液晶部と、に関しては実施形態１と基本的機能は同一であるので、詳細な説明は省略する。実施形態２は、遮蔽液晶部の前記遮蔽面が、複数の視線方向から前記液晶表示画素の全部又は一部を遮蔽するように構成される。複数の視線とは、二人以上の人物あるいは設置されたカメラ、その他ビデオカメラ、デジタルカメラ、あるいは、これらの組み合わせが二以上であることをいう。複数の視線方向は、液晶表示画素配列部によって形成される面に対する入射角が同一である複数の視線方向のみならず、前記入射角が異なる複数の視線方向も含む趣旨である。後者の場合には遮蔽面と遮蔽面との間隙をぬって液晶表示画素配列部に到達する視線により捕捉される画素がモノクロとなっており、かつ、前記異なる入射角の異なる視線に対応する画素がモノクロになっていれば良い。つまり、遮蔽面と、前記視線により捕捉される画素とが一体となって視線を液晶表示画素によって構成される情報から排除すればよい。遮蔽面と、液晶表示画素との組合せを最適化することにより任意の視線方向から液晶表示画素（により構成される情報）を遮蔽可能となる。また、必ずしも液晶表示画素を構成要件とせずともよい。なぜなら、前記遮蔽面と遮蔽面との間隙をぬって進入する視線により捕捉されうる部分に液晶表示画素を配置しない構成によっても同様の効果を得ることができるからである。
【００２０】
図６に、複数の視線方向から液晶表示画素配列部の全部を遮蔽される例を示す。複数の視線とは、例えば、視線方向Ｂと視線方向Ｃである。  図７に、複数の視線方向から液晶表示画素配列部の一部を遮蔽する例を示す。複数の視線とは、例えば、視線方向Ｂと視線方向Ｃである。
【００２１】
（実施形態２の効果）    実施形態２によって、複数の視線方向に対する遮蔽が可能になり、覗き見の視線方向から第三者の予期せぬ視線、たとえば、監視用のカメラの視線や、その他、望遠レンズを用いた覗き見などに対する防御策も同時に取られ、セキュリティーのレベルが上がる、という効果を奏する。
【００２２】
≪実施形態３≫    （実施形態３の構成）    実施形態３は、実施形態１または、実施形態２のいずれか一を基本として、特徴点は、実施形態２の視線方向は、液晶表示面に対する略真正面以外からの視線方向であって、略左正面方向、略右正面方向、略上正面方向、略下正面方向、略上右正面方向、略下右正面方向、略下左正面方向、略上左正面方向からなる視線方向群のうち、何れか一又は二以上の組み合わせからなる視線方向である点をあげることができる。
【００２３】
（実施形態３の構成の説明）    実施形態３の、液晶表示画素配列部と、遮蔽液晶部と、に関しては実施形態１または実施形態２と基本的機能は同一であるので、詳細な説明は省略する。「視線方向」は、液晶表示面に対する略真正面以外からの視線方向であって、液晶表示画素配列部を裏側や、真横などから見る視線ではない。略左正面方向と、略右正面方向の視線方向は、たとえば、電車の座席に座った場合に両隣に座った人が液晶表示画素配列部を覗き見する場合の視線方向である。略上正面方向と、略上右正面方向と、略上左正面方向の視線方向は、たとえば、コンピューターを座って操作している場合に、コンピューターを操作する人物の真後ろ、真後ろ右、真後ろに立つ三人が液晶表示画素配列部を覗き見する場合の視線方向である。略下正面方向と、略下右正面方向と、略下左正面方向の視線方向は、たとえば、キャッシュでスペンサーのような水平な液晶表示画素配列部をキャッシュでスペンサーを操作する人物の真後ろ、真後ろ右、真後ろに立つ三人が液晶表示画素配列部を下方から覗き見する場合の視線方向である。
【００２４】
図８（ａ）には、液晶表示画素配列部に対するそれぞれの視線方向を平面的に表している。また、図８（ｂ）には、液晶表示画素配列部に対するそれぞれの視線を液晶画素配列部を上から見下ろした状態での視線方向を示している。
【００２５】
図９には、利用者の視線方向と、遮蔽したい視線方向を液晶表示画素配列部の液晶表示画素レベルで表現している。利用者の視線方向が液晶表示画素配列部の正面からであり、中央の画素が見られるのに対して、それ以外の覗き見をする視線方向Ａ、視線方向Ｂ、視線方向Ｃ、視線方向Ｄ、視線方向Ｅは、それぞれ、遮蔽液晶部によって形成される遮蔽面によって遮蔽されている。
【００２６】
（実施形態３の効果）    実施形態３によって、実施形態１または実施形態２に述べた効果だけでなく、複数の視線方向に対して、それより少ない個数の遮蔽面で視線を遮ったり、複数の視線に対して、異なる部分を遮蔽したり、あるいは逆に見せたりできるように設定することができる、という効果を奏する。
【００２７】
≪実施形態４≫  （実施形態４の構成）    図１０を用いて実施形態４を説明する。実施形態４は、実施形態１から３のいずれか一を基本となし、特徴点が、前記遮蔽液晶部により形成される遮蔽面が二層構造である点である。
【００２８】
（実施形態４の構成の説明）    実施形態４の液晶表示画素配列部と、遮蔽液晶部と、に関しては実施形態１から実施形態３の何れか一と基本的機能は同一であるので、詳細な説明は省略する。実施形態４の「遮蔽液晶部」は、二層構造である。この二層の間の距離、遮蔽液晶部の電極の幅、厚み、奥行き、さらに、液晶表示画素配列部と遮蔽液晶部の間の距離を最適化することによって、遮蔽される視線方向を任意に設定できる。図１０に示すのは、遮蔽液晶部が覗き見である視線方向Ｂの全部を遮蔽している場合である。一方利用者である視線方向Ａについては、遮蔽液晶部によって、一画素ごとに液晶表示画素配列部の液晶表示画素を見ることができる。
【００２９】
図１１に示すのは、遮蔽液晶部が覗き見である視線方向Ｂの部分（中央部のみ）を遮蔽している場合である。利用者である視線方向Ａについては、遮蔽液晶部によって、液晶遮蔽部に遮蔽されていない全部と、液晶遮蔽部によって遮蔽されている一画素ごとの液晶表示画素配列部の液晶表示画素を見ることができる。一方、覗き見の視線である視線方向Ｂは、遮蔽液晶部によって遮蔽されている部分については、その全部が遮蔽され、遮蔽液晶部によって遮蔽されていない部分については、その全部を見ることができる。このように、遮蔽液晶部が一層の場合は、液晶表示画素配列部の画素を非表示にする必要がある場合もあったが、遮蔽液晶部を二層にすることによって、すべての液晶表示画素配列部の画素を表示しながらも、覗き見の視線方向から、液晶表示画素配列部の全部または一部を遮蔽することができる。
【００３０】
しかし、この二層配列だけで完全に覗き見の視線方向を遮蔽できるわけではない。図１２の（ａ）（ｂ）（ｃ）に示すように、例えば、二層になった遮蔽液晶部において、この二層の間隔を狭くしたり、広くしたりすると、それにともなって遮蔽角が変化する。なお、ここで遮蔽角とは、角度Φであらわされる角度であり、角度Φよりも小さい角度の場合には遮蔽されて液晶画面が見えないということができる。たとえば、角度Φが大きくなるということは、覗き見に必要な角度Φがそれだけ大きくなるために、液晶表示画素配列部の利用者に相当近づかないと覗き見ができなくなる。つまり、覗き見がむずかしくなる。このことから、二層にすることにより、遮蔽の効率は良くなるが、遮蔽できる視線方向は限られた視線の入射角からのものである。
【００３１】
図１３（ｂ）では、実際に斜めから見た場合に液晶表示画素配列部がどのように見えるかのシミュレーション結果を示している。斜めからの視線方向では、液晶表示画素配列部面のほとんどが覆い隠されることが、図１３（ｂ）より理解できる。図１３（ｃ）では、液晶表示画素配列部から中央部を囲む周辺部のみを遮蔽液晶部で遮蔽した場合を示している。図１３（ｃ）では、周囲は遮蔽液晶部で覆われているが、中央部については、斜めからの視線方向でも液晶表示画素配列部が見えることが理解できる。
【００３２】
（実施形態４の効果）    実施形態４によって、液晶表示画素配列部の液晶表示画素を全て表示したまま、覗き見の視線方向については遮蔽が行える、という効果を奏する。
【００３３】
≪実施形態５≫    （実施形態５の構成）    実施形態５は、実施形態１から３のいずれか一を基本として、特徴点は、前記遮蔽液晶部は、三層以上の構造である点をあげることができる。
【００３４】
（実施形態５の構成の説明）    実施形態５の、液晶表示画素配列部と、遮蔽液晶部と、に関しては実施形態１と基本的機能は同一であるので、詳細な説明は省略する。実施形態５の「遮蔽液晶部」は、三層以上の構造である。遮蔽液晶部は、構造的には、１層単位であるので、これを複数層積み重ねることは技術的に可能である。三層以上の構造にすることによって、より遮蔽角が大きくなる。図１４に比較のために、四層の場合と、二層の場合を載せるが、四層にすることによって、遮蔽できる視線方向が増加する、つまり遮蔽角が大きくなることがわかる。したがって、遮蔽という観点からは、三層以上にすることは効果的である。  ただし、実施形態４にあるように、遮蔽角には層の厚みが影響を及ぼすために、三層以上の構造と言えども、層の厚みが二層構造と同じであれば、遮蔽角は同一となる。
【００３５】
≪実施形態６≫    （実施形態６の構成）  実施形態６は、実施形態１から実施形態５のいずれか一を基本として、特徴点は、前記遮蔽液晶部は、前記液晶表示画素配列部面に対して略垂直方向に遮蔽面を形成する点である。
【００３６】
（実施形態６の構成の説明）  実施形態６の、液晶表示画素配列部と、遮蔽液晶部と、に関しては実施形態１から実施形態５の何れか一と基本的機能は同一であるので、詳細な説明は省略する。実施形態６の「遮蔽液晶部」は、液晶表示画素配列部面に対して略垂直方向に遮蔽面を形成する。略垂直方向とは、図１５に示すように、液晶画面に対しておおむね垂直な方向ということである。
【００３７】
これによって効果的に遮蔽をすることが可能となる。しかしながら、さきほどの二層構造や三層構造ほどには、遮蔽角が大きくないことは、図１５からわかる。ただし、この遮蔽液晶部の液晶の長さを長くすることによって、遮蔽角を大きくすることが可能になる。長さはおおよそ１００ミクロンから５００ミクロン程度である。図１６は、本実施形態の遮蔽液晶部と液晶表示画素のそれぞれの電極と液晶の部分断面である。遮蔽液晶部は、液晶画面とは異なり、縦型の電極を有する。この縦型の電極の製造は、通常の液晶の作成にくらべてはるかに製作上の困難を伴う。例えば、電極を複数回のフォトリソグラフィープロセスを繰り返すことで高くすることが考えられる。また、真空蒸着やスパッタリングなどの真空膜形成技術を利用せずにメッキを利用して高いアスペクト比を有する電極を形成することができる。また微細でかつ高い壁状の電極を形成する方法として、フォトレジスト膜を電極間の幅に形成しておき、フォトレジスト膜の下地に金属薄膜を配置し、金属薄膜をイオンビームミリングなどの手法により飛散させて前記フォトレジスト膜の側壁に付着させる手法を利用することも可能である。本実施形態によれば、正面から見た場合に、液晶画像を遮蔽する範囲が狭くなるために、それだけ画像を明るくみることができる。実施形態６によれば、遮蔽の目的を果たしつつ、画像を明るく見ることができる、という効果を奏する。
【００３８】
≪実施形態７≫  （実施形態７の構成）  実施形態７は、実施形態１から５のいずれか一を基本として、特徴点は、前記遮蔽液晶部は、前記液晶表示画素配列部面に対して所定の角度で遮蔽面を形成する点をあげることができる。
【００３９】
（実施形態７の構成の説明）  実施形態７の、液晶表示画素配列部と、遮蔽液晶部と、に関しては実施形態１から実施形態５の何れか一と基本的機能は同一であるので、詳細な説明は省略する。実施形態７の「遮蔽液晶部」は、前記液晶表示画素配列部面に対して所定の角度で遮蔽面を形成する。図１７に所定の角度で形成される遮蔽面の概念図を示す。
【００４０】
これによって、特定の視線の方向に対して、優れた遮蔽効果を発揮することができる。また、液晶画面が遮られる範囲が少ないために画面も明るく、欠け落ちる画も少ない、つまり、解像度はあまり落ちない。このために、遮蔽は効果的に行われる一方で、利用者にも劣化しない液晶画像を見ることができるという特徴がある。
【００４１】
図１８は、遮蔽液晶部と液晶表示画素配列部の部分断面図である。液晶からなる遮蔽面自身に角度を設定することは困難であるために、例えば、遮蔽液晶部を電極を三層に積み重ね、遮蔽すべき遮蔽液晶部を各層毎に画素をひとつ分ずつずらせる、というものである。このような制御によって、遮蔽液晶部に所定の角度を与えたと同じ効果が得られる。
【００４２】
（実施形態７の効果）  実施形態７の所定の角度で形成する遮蔽面によって、実施形態６の、遮蔽角が小さいという問題を直接的に解決するものである。これによって、遮蔽面がありながらも画面が明るいという特性を有する。しかしながら、実施形態２もしくは実施形態３にて記載された複数の視線の方向に対する遮蔽度についてはかならずしも効果的ではない。
【００４３】
≪実施形態８≫（実施形態８の構成）  図１９を用いて、実施形態８を説明する。実施形態８は、実施形態１から実施形態５のいずれか一を基本として、特徴点は、前記遮蔽液晶部１９０２は、遮蔽面角度調節手段１９０３をさらに有する点である。
【００４４】
（実施形態８の構成の説明）実施形態８の、液晶表示画素配列部１９０１と、遮蔽液晶部１９０２と、に関しては実施形態１と基本的機能は同一であるので、詳細な説明は省略する。実施形態８の「遮蔽液晶部」は、遮蔽面角度調整手段をさらに有する。「遮蔽面角度調整手段」は、前記遮蔽面を形成する角度を変化させる。遮蔽面を形成する角度を変化させるとは、液晶表示画素配列部面に対して垂直な線と、遮蔽面を延長した線が交わってできる交点の角度を変化させるということであり、たとえば、図２０中のθの角度を変えるということである。
【００４５】
図２１は、角度調節のための具体的方策を示したものである。例えば、この例では、遮蔽液晶の縦型のものと、横型のものを組み合わせ、縦型の遮蔽液晶の間に横型の遮蔽液晶を配した構造としている。こうすることによって、角度を大きくつける場合に、液晶間にできる隙間を、前記横型の遮蔽液晶により補完し、遮蔽を完全なものにすることができる。実施形態８によって、角度を変化させることによって、覗き見防止、あるいは複数の視線の方向に対する遮蔽、という効果を奏する。
【００４６】
≪実施形態９≫  （実施形態９の構成）  図２２を用いて実施形態９を説明する。実施形態９は、実施形態１から８のいずれか一を基本として、特徴点は、前記遮蔽液晶部２２０３を駆動して前記遮蔽面をスイッチ可能な遮蔽面駆動部２２０４をさらに有する点をあげることができる。
【００４７】
（実施形態９の構成の説明）  実施形態９の液晶表示画素配列部２２０１と、遮蔽液晶部２２０２と、に関しては実施形態１から実施形態８の何れか一と基本的機能は同一であるので、詳細な説明は省略する。実施形態９の「遮蔽液晶部」は、遮蔽面駆動部をさらに有する。「遮蔽面駆動部」は、前記遮蔽液晶部を駆動して前記遮蔽面をスイッチ可能であることを特徴とする。遮蔽液晶部を駆動し、遮蔽面をスイッチするとは、遮蔽液晶部を駆動させて、遮蔽する視線方向をスイッチするということである。
【００４８】
遮蔽液晶部の駆動による遮蔽面のスイッチによって、複数の視線方向に対する遮蔽面の形成が、実現することができる。また、実施形態８の遮蔽面角度調節手段をあわせて用いれば、スイッチングだけでなく、より効果的な遮蔽も可能になる。実施形態９によって、複数の視線に対する効果的な遮蔽面の構成が簡単にできるようになる、という効果を奏する。また、遮蔽面角度調整手段とあわせ用いれば、遮蔽面のスイッチングだけでなく、遮蔽をより効果的に行える遮蔽面の角度を設定することも可能である。
【００４９】
≪実施形態１０≫  （実施形態１０の構成）  図２４を用いて、実施形態１０を説明する。  実施形態１０は、実施形態１から８のいずれか一を基本として、特徴点は、遮蔽面駆動部２４０４は、選択スイッチ手段２４０３を有する点をあげることができる。
【００５０】
（実施形態１０の構成の説明）  実施形態１０の液晶表示画素配列部２４０１と、遮蔽液晶部２４０２と、に関しては実施形態１から実施形態８の何れか一と基本的機能は同一であるので、詳細な説明は省略する。実施形態１０の「遮蔽液晶部」は、遮蔽面駆動部をさらに有する。前記「遮蔽面駆動部」は、前記遮蔽液晶部を駆動して前記遮蔽面をスイッチ可能である。
【００５１】
また、実施形態１０の「遮蔽面駆動部」は、選択スイッチ手段を有する。前記「選択スイッチ手段」は、前記視線方向群に含まれる何れか一又は二以上の組合せからなる視線方向を選択的にスイッチ可能である。ここで、「視線方向群」は、実施形態３に述べたように、略左正面方向、略右正面方向、略上正面方向、略下正面方向、略上右正面方向、略下右正面方向、略下左正面方向、略上左正面方向からなる。このような視線方向群のうちのいずれか一または二以上の組み合わせに対して、遮蔽面が形成されるようなスイッチ可能な手段が選択スイッチ手段である。たとえば概念図２３に示すように、遮蔽液晶部の遮蔽面が図２３（ａ）のような形で遮蔽面が入っており、左正面もしくは右正面からの複数の視線方向に対する遮蔽面を、上正面もしくは下正面からの複数の視線方向に対する図２３（ｂ）のような遮蔽面にスイッチすることである。この例においては、もちろん、図２３（ｂ）の遮蔽面を形成した後にこれを駆動して、図２３（ａ）に示される遮蔽面にスイッチさせてもよい。また、上下方向、左右方向が独立にスイッチングされるだけでなく、上下方向に対する遮蔽面および左右方向に対する遮蔽面を同時に形成する図２３（ｃ）のような遮蔽面にスイッチさせてもよい。概念図２５には、スイッチ可能な遮蔽面の方向について記載している。このようなスイッチ可能な手段によって、複数の視線方向に対して、効果的な遮蔽を行うことができる。効果的な遮蔽が可能であるとは、複数の視線方向に対して、最小限の遮蔽面で前記複数の視線方向を遮蔽するということであるため、液晶画面が暗くならない、解像度が落ちないなどの副次的効果が得られる。実施形態１０のスイッチ可能な手段によって、複数の視線方向に対して、効果的な遮蔽を行うことができる。効果的な遮蔽が可能であるとは、複数の視線方向に対して、最小限の遮蔽面で前記複数の視線方向を遮蔽するということであるため、液晶画面が暗くならない、解像度が落ちないなどの副次的効果を奏するものである。
【００５２】
≪実施形態１１≫  （実施形態１１の構成）  図２６を用いて実施形態１１を説明する。実施形態１１は、実施形態９または１０を基本として、特徴点は、前記遮蔽面駆動部は、高速スイッチ手段２６０４を有する点をあげることができる。
【００５３】
（実施形態１１の構成の説明）  実施形態１１の液晶表示画素配列部２６０１と、遮蔽液晶部２６０２と、遮蔽面駆動部２６０４、に関しては実施形態９または１０と基本的機能は同一であるので、詳細な説明は省略する。実施形態１１の「遮蔽面駆動部」は、「高速スイッチ手段」を有する。
【００５４】
「高速スイッチ手段」は、一の視線方向から所定の領域の前記液晶表示画素の全部を遮蔽し、かつ、他の視線方向からは、前記遮蔽される領域の前記液晶表示画素の部分的交互の高い周波数での遮蔽と非遮蔽の繰り返しによる前記全部の画素を視認可能とする。
【００５５】
図２７（ａ）が、ある瞬間の遮蔽液晶部の状態であり、図２７（ｂ）が、次の瞬間の遮蔽液晶部の状態である。図２７においては、遮蔽液晶部は二層構造になっており、黒い部分が光が遮蔽されるところ、点線の部分が光が透過するところ、である。覗き見される視線方向、すなわち図中の視線方向に対しては、図２７（ａ）の遮蔽液晶部によって、視線は遮蔽される。一方、図２７（ｂ）の遮蔽液晶部は、光が透過するところと、遮蔽されるところが、図２７（ａ）の場合と反転する場合であるが、この場合においても、液晶画面の端部においてのみ視線は透過するがそれ以外については、視線は遮蔽される。つまり、遮蔽液晶部の光を遮蔽する液晶の部分が反転しても、常に覗き見の視線方向は遮蔽される。
【００５６】
本実施形態は、このような特徴を利用して、遮蔽液晶部分を図２７（ａ）、図２７（ｂ）のように高速に反転することによって、覗き見の視線方向は遮蔽するが、高速に反転することによって、利用者の目には見えなくなるという効果がある。つまり、利用者にとっては、液晶画面の全部を見ることができるということである。実施形態１１によって、遮蔽面を形成するが、明るく解像度も劣化しない画像を提供できるという効果を奏する。
【００５７】
≪実施形態１２≫    （実施形態１２の構成）  実施形態１２は、実施形態４または５のいずれか一を基本として、特徴点は、遮蔽面駆動部は、前記二層以上の遮蔽液晶部を個別に駆動することにより遮蔽面により遮蔽すべき視線方向を変化させることができる。
【００５８】
（実施形態１２の構成の説明）  実施形態１２の液晶表示画素配列部と、遮蔽液晶部と、に関しては実施形態４または５の何れか一と基本的機能は同一であるので、詳細な説明は省略する。実施形態１２の「遮蔽面駆動部」は、前記二層以上の遮蔽液晶部を個別に駆動することができる。この遮蔽液晶部を個別に駆動して、遮蔽面により遮蔽すべき視線方向を変化させる。
【００５９】
二層以上の遮蔽液晶部を個別に駆動するとは、概念図２８に示すように、遮蔽液晶部を液晶画面に平行に移動させる駆動を行うことを言う。平行な方向の駆動によって、遮蔽できる範囲が大きく変わり、実施形態８の図２０における遮蔽面角度調整手段と同様な効果が得られる。この層数が増加することにより、さらに、効果的に遮蔽を行うことができる。また、この概念図２８では、遮蔽液晶部の一次元的駆動しか表現していないが、さらに、液晶画面に平行な二次元的な面における遮蔽駆動によって、容易に所定の視線方向から液晶表示画素を遮蔽することが可能になる。図２９に本実施形態の立体説明図を示す。利用者の斜め方向からの視線方向に対しては、遮蔽液晶はそのいくつかの視線は遮るものの画像を視認することが可能である。このような遮蔽液晶を実現するためには、液晶表示画素よりもさらに小さな画素のものを用いればよい。たとえば、図２９（ｂ）には、液晶表示画素の半分のサイズの遮蔽液晶を用いることにより、遮蔽液晶の位置を一層目と二層目で、半画素分づつずらすことが可能になる。図２９（ｃ）は、遮蔽液晶の画素を示している。
【００６０】
また、図３０には、遮蔽液晶の位置をずらせることによって、見え方がどのように変わるかをシミュレートしている。図３０（ａ）は、遮蔽液晶部の同じ位置を遮蔽した場合であり、液晶画面全部にわたって斜めからの視線方向が遮られるために、液晶画面が見づらくなっている。しかし、図３０（ｂ）のように斜めからの視線方向に対して、一層目と二層目の遮蔽液晶部が重なるようにすると、液晶画面は、かなり見えるようになる。
【００６１】
さらに、図３０（ｃ）と（ｄ）のシミュレーション結果によれば、遮蔽液晶部のずらせ方によって、さまざまな遮蔽面の形成の可能性があることがわかる。実施形態１２によって、二層のものを駆動することによって、効果的に遮蔽面を形成することができる、という効果を奏する。
【００６２】
≪実施形態１３≫  （実施形態１３の構成）  図３１を用いて実施形態１３を説明する。実施形態１３は、実施形態１から実施形態１２のいずれか一を基本として、特徴点は、遮蔽液晶部は、前記液晶表示画素の一部を所定の視線方向から遮蔽することにより文字、図形、記号を表すことが可能である点をあげることができる。
【００６３】
（実施形態１３の構成の説明）  実施形態１３の、液晶表示画素配列部と、遮蔽液晶部と、に関しては実施形態１から実施形態１２の何れか一と基本的機能は同一であるので、詳細な説明は省略する。実施形態１３の「遮蔽液晶部」は、前記液晶表示画素の一部を所定の視線方向から遮蔽することにより文字、図形、記号を表す。すなわち、遮蔽液晶もまた液晶であるという特徴を利用して、この遮蔽液晶部を文字、図形、記号を表す用途に用いる、ということである。
【００６４】
たとえば、図３１に示すように、利用者が見る液晶表示画素と、覗き見をする液晶表示画素が異なる場合に、覗き見する側に見える液晶表示画素からなる液晶画面には、上記の文字、図形、記号を表すことにより、本実施形態を達成してもよい。実施形態１３では、遮蔽液晶もまた液晶であるという特徴を利用して、この遮蔽液晶部を文字、図形、記号を表す用途に用いる、という効果を奏する。
【００６５】
≪実施形態１４≫    （実施形態１４の構成）  図３２を用いて実施形態１４を説明する。実施形態１４は、実施形態１から１３のいずれか一を基本とした液晶表示構造体を含む電子機器に関する。
【００６６】
（実施形態１４の構成の説明）  実施形態１４の液晶表示構造体は、実施形態１から１３の何れか一に記載したものと基本的機能は同一であるので詳細な説明は省略する。
【００６７】
実施形態１４は、実施形態１から１３のいずれか一に記載の液晶表示構造体を含む電子機器である。たとえば、携帯電話、コンピューター、テレビ、カーナビゲーションシステム、Ｌモードの画面、キャッシュディスペンサーその他液晶がモニターとして用いられるすべての電子機器を含む。実施形態１４の実施形態１から１３のいずれか一の液晶表示構造体が用いられることによって、電子機器のセキュリティーレベルが向上する、プライバシーを守ることができる、個人情報が盗まれにくくなる、認証情報などが盗まれにくくなる、などの効果を奏する。
【００６８】
≪実施形態１５≫  （実施形態１５の構成）  図３３を用いて実施形態１５を説明する。実施形態１５は、実施形態１４を基本として、特徴点は、ソフト保持部０８０２と、実行部０８０３と、ソフト遮蔽命令取得手段０８０５を有する点をあげることができる。
【００６９】
（実施形態１５の構成の説明）  実施形態１５の、液晶表示構造体０８０１は、実施形態１４の基本的機能と同一であるので詳細な説明は省略する。「ソフト保持部」は、ソフトを保持する。この保持されるソフトは、遮蔽面を制御することに関わるソフトウエアである。「実行部」は、ソフト保持部に保持されているソフトウエアを実行する。  実施形態１５の「遮蔽面駆動部」は、遮蔽命令取得手段を有する。  「遮蔽命令取得手段」は、ソフト遮蔽命令を取得する。
【００７０】
「ソフト遮蔽命令」は、前記実行部で実行されるソフトウエアから前記遮蔽面を遮蔽するための命令である。ソフト遮断命令によって、ソフトウェアから遮蔽面を制御することによって、遮断面を自由に制御することが可能になる。すなわち、遮蔽液晶部のプログラムによる遮蔽制御が可能になる。実施形態１５によって、遮蔽液晶部のプログラムによる遮蔽制御が可能になるために、アプリケーションに応じた遮蔽制御が可能となる。例えば、お互いに相手が見ている画面を遮蔽された状態で二人が一つの画面を見ながら、相手が何を見ているか当てるゲームソフトなどに応用できる。また、セキュリティの高いパスワード入力画面などが表示される際にのみ他の真正面以外の他の視線方向を遮蔽面で遮蔽することなどが可能である。
【００７１】
≪実施形態１６≫  （実施形態１６の構成）  図３４を用いて実施形態１６を説明する。実施形態１６は、実施形態１４または１５のいずれか一を基本として、特徴点は、時間情報取得部０９０６と、時間依存遮蔽手段０９０５をさらに有する点をあげることができる。
【００７２】
（実施形態１６の構成の説明）  実施形態１６の、液晶表示構造体と、ソフト保持部０９０２と、実行部０９０３と、ソフト遮蔽命令取得手段０９０４と、に関しては基本的機能は実施形態１４または実施形態１５と同一であるために詳細な説明は省略する。
【００７３】
「時間情報取得部」は、時間を示す情報である時間情報を取得する。「時間情報」とは、時刻の場合と、時刻でない時間の場合、年月日、曜日、六曜などがある。実施形態１６の「遮断面駆動部」は、「時間依存遮蔽手段」をさらに有する。「時間依存遮蔽手段」は、前記時間情報取得部が取得した時間情報に基づいて前記遮蔽面を遮蔽する。実施形態１６によって、指定した曜日や、指定した年月日、毎日の指定した時刻などに、遮蔽面を作動させるなどの制御が可能になる。たとえば、通勤の車中にてＰＤＡを用いて、英会話の勉強を行う場合に、通勤の時間が午前８時から午前９時である場合、毎日のその時間帯において覗き見防止のための液晶画面の遮蔽を行うことが本実施形態により可能となる。実施形態１６によって、指定した曜日や、指定した年月日、毎日の指定した時刻などに、遮蔽面を作動させるなどの制御が可能になるなどの効果を奏する。
【００７４】
≪実施形態１７≫  （実施形態１７の構成）  図３５を用いて、実施形態１７を説明する。実施形態１７は、実施形態１４から１６のいずれか一を基本として、特徴点は、位置情報取得部１００６を有し、前記遮蔽面駆動部１００８は位置依存遮蔽手段１００５をさらに有する点をあげることができる。
【００７５】
（実施形態１７の構成の説明）  実施形態１７の液晶表示構造体１００１と、ソフト保持部１００２と、実行部１００３と、ソフト遮蔽命令取得手段１００４と、に関しては基本的機能は実施形態１４から実施形態１６の何れか一と同一であるために詳細な説明は省略する。「位置情報取得部」は、位置を示す情報である位置情報を取得する。「遮蔽面駆動部」は、位置依存遮蔽手段をさらに有する。「位置依存遮断手段」は、前記位置情報取得部が取得した位置情報に基づいて前記遮蔽面を遮蔽する。この情報と、実施形態１５のソフトウエア遮断命令取得手段および実施形態１６の時間依存遮蔽手段をあわせ用いれば、指定した時間に指定した位置に遮蔽面を自動的に形成することが可能になる。
【００７６】
たとえば、実施形態１６の例を用いて説明する。通勤の車中にてＰＤＡを用いて、英会話の勉強を行う場合に、通勤の時間が午前８時から午前９時である場合、毎日のその時間帯において覗き見防止のための液晶画面の遮蔽が可能となる。ここで、液晶画面を遮蔽する時間帯を指定すると同時に、遮蔽するべき視線方向の位置情報を指定する。たとえば、通勤電車の座席に座ってＰＤＡを用いて英会話の勉強をしていることを想定して、つり革につかまる人の視線方向つまり上正面の視線方向と、左どなりに座る人の視線方向つまり左正面の視線方向と、および右どなりに座る人の視線方向つまり右正面の視線方向と、の三つの視線方向を、午前８時から午前９時の間の通勤時間の一時間の間だけ毎日定期的に遮蔽することが本実施形態を通じて可能になる。
【００７７】
（実施形態１７の効果）  実施形態１７を用いれば、取得した位置情報にもとづいて遮蔽面を形成することが可能となり、さらに、実施形態１６と実施形態１７の技術とあわせ用いれば、指定した時間に指定した位置に遮蔽面を自動的に形成することが可能となる、という効果を奏する。
【００７８】
≪実施形態１８≫  （実施形態１８の構成）  図３６を用いて、実施形態１８を説明する。  実施形態１８は、実施形態１４から実施形態１７のいずれか一を基本として、特徴点は、通信部１１０６を有し、前記遮蔽面駆動部１１０８は遮蔽面駆動命令取得手段１１０４を有する点をあげることができる。
【００７９】
（実施形態１８の構成の説明）  実施形態１８の液晶表示構造体１１０１と、ソフト保持部１１０２と、実行部１１０３と、に関しては基本的機能は実施形態１６と同一であるために詳細な説明は省略する。「通信部」は、通信するための機能を有し、主として遮蔽面を駆動するための命令を通信する。実施形態１８の「遮蔽面駆動部」は、遮蔽面駆動命令取得手段を有する。「遮蔽面駆動命令取得手段」は、遮蔽面駆動命令を取得する。
【００８０】
「遮蔽面駆動命令」とは、前記通信部を介して前記遮蔽面を駆動するための命令である。遮蔽面を駆動するための命令とは、時間情報または位置情報に関する命令である。また、それ以外の遮蔽液晶部の遮蔽面の形成方法に関する命令も含まれる。
【００８１】
上記手段によれば、通信部から遮蔽面駆動に関する命令を取得し、これに従って遮蔽面を形成するというものであり、一例をあげれば、コンピューター端末上にて、まず、以下のような設定を行う。すなわち、遮蔽面を形成する時間を午前８時から午前９時の間に設定し、遮蔽面を形成する位置を上正面、左正面、右正面の三つ視線方向に設定し、さらに、これを自動的に毎日定期的に同時刻に遮蔽面を形成する、などの設定を行う。そして、これらの設定情報をコンピューターからＰＤＡに対して遮蔽面駆動命令として送信する。この命令を受けたＰＤＡの通信部は、この設定情報を受信し、さらに前記遮断面駆動命令を取得し、この遮断面駆動命令に従って遮断面駆動部を駆動させる。なお、上記コンピューター端末は、携帯あるいは、ＰＤＡであってもよく、遮蔽面駆動命令を送受信できるものであれば、なんでもよい。
【００８２】
また、別の具体例では、電子機器間での通信による遮蔽がある。すなわち、電子機器をもった人物が背後に近づいてきたときに、通信部が自動的にその接近と接近の方向を感知し、その人物の視線方向に対して遮蔽面を自動的に形成する場合である。
実施形態１８によって、通信を介して遮蔽面の形成に関する情報を送受信することが可能になり、液晶表示構造体を有する電子機器を他の機器から制御するための情報を受信したり、さらには、他の機器から直接制御したりすることができる、という効果を奏する。
【００８３】
≪実施形態１９≫  （実施形態１９の構成）  図３７を用いて実施形態１９を説明する。実施形態１９は、実施形態１４から１８のいずれか一を基本として、特徴点は、液晶画面位置関係情報取得部を有し、前記遮蔽面駆動部１２０８は、液晶画面位置関係情報依存遮蔽手段１２０５をさらに有する。
【００８４】
（実施形態１９の構成の説明）  実施形態１９の液晶表示構造体１２０１と、ソフト保持部１２０２と、実行部１２０３と、ソフト遮蔽命令取得手段１２０４と、に関しては基本的機能は実施形態１４から実施形態１８の何れか一と同一であるために詳細な説明は省略する。「液晶画面位置関係情報取得部」は、液晶画面位置関係情報を取得する。「液晶画面位置関係情報」とは、前記液晶表示画素配列部により構成される液晶画面の利用者にとっての上下・左右を示す位置関係を示す情報である。この利用者にとっての上下・左右を示す位置関係を示す情報をもとに、上正面、右正面、左正面などの視線方向を決定づけることができる。たとえば表示の切り替えが可能な液晶画面を有するような携帯端末の場合、視線方向を定めるための基本となる上下・左右が液晶画面のいずれに相当するかを決定づけることによって、正しい遮蔽面を形成することが可能になる。
【００８５】
また、この上下左右を判断する方法としては、たとえば、液晶表示構造体を含む電子機器の液晶画面の後ろ側に、重力によって常に下方向を指し示す錘を内蔵させて、この錘の指し示す方向を「下」、その反対方向を「上」となし、錘から見て液晶画面の「向かって右」を利用者からみた「左」となし、錘から見て液晶画面の「向かって左」を利用者から見た「右」となす、ことによって方向を決定することができる。
【００８６】
実施形態１９の「遮蔽面駆動部」は、液晶画面位置関係情報依存遮蔽手段をさらに有する。「液晶画面位置関係情報依存手段」は、前記液晶画面位置関係情報取得部が取得した液晶画面位置関係情報に基づいて前記遮蔽面を遮蔽する。前記液晶画面位置関係情報に基づいて、遮蔽面駆動部を正しく駆動させることが可能になる。
【００８７】
実施形態３においては、略左正面方向、略右正面方向、略上正面方向、略下正面方向、略上右正面方向、略下右正面方向、略下左正面方向、略上左正面方向からなる視線方向群が定義され、これらのいずれか一または二以上の組み合わせからなる視線方向に対して遮蔽面が形成されるが、本実施形態１９によって、この視線方向が液晶画面のどの方向に対応し、ひいては、どの位置に遮蔽面を形成すべきかの指標となる情報が提供される。
【００８８】
（実施形態１９の効果）  本実施形態１９によって、実施形態３における視線方向が液晶画面のどの方向に対応し、ひいては、どの位置に遮蔽面を形成すべきかの指標となる情報が提供される、という効果を奏する。
【００８９】
≪実施形態２０≫    （実施形態２０の構成）  実施形態２０の構成は、実施形態１９を基本とする。特徴点は、前記液晶画面位置関係情報依存遮蔽手段は、常に視線方向として液晶画面の略左正面方向となる視線方向及び略右正面方向となる視線方向から前記液晶表示画素配列部上に配置される前記液晶表示画素の全部又は、一部を遮蔽する点をあげることができる。
【００９０】
（実施形態２０の構成の説明）  実施形態２０の液晶表示構造体と、ソフト保持部と、実行部と、ソフト遮蔽命令取得手段と、に関しては基本的機能は実施形態１９と同一であるために詳細な説明は省略する。
【００９１】
実施形態２０の「液晶画面位置関係情報依存遮蔽手段」は、常に視線方向として液晶画面の略左正面方向となる視線方向及び略右正面方向となる視線方向から前記液晶表示画素配列部上に配置される前記液晶表示画素の全部又は、一部を遮蔽する。すなわち、デフォルトとして、液晶画面の略左正面の視線方向に対する遮蔽面と、液晶画面の略右正面の視線方向に対する遮蔽面と、に関しては自動的にこれらの遮蔽面が形成されるようにあらかじめ設定されている、ということを示している。さらに、その遮蔽面については、液晶表示画素のうち全部又は、一部を遮蔽することがデフォルトとして設定されていることを示している。
【００９２】
実施形態１９において、液晶画面の利用者にとっての上下・左右を示す位置関係を示す情報が取得されるが、この情報に基づいて本実施形態の遮蔽面が形成されるために、常に、略左正面および略右正面の視線方向に対して遮蔽面が形成されることが保証される。
【００９３】
（実施形態２０の効果）  実施形態２０によって、デフォルト値として略左正面および略右正面の視線方向に対して遮蔽面が形成される、という効果を奏する。さらに、実施形態１９との相乗効果により、液晶画面の方向にかかわらず、常に、前記視線方向に対する遮蔽面の形成が保証される。
【００９４】
≪実施形態２１≫  （実施形態２１の構成）  実施形態２１の構成は、実施形態１９を基本とする。特徴点は、前記液晶画面位置関係情報依存遮蔽手段は、常に視線方向として液晶画面の略上正面方向となる視線方向及び略下正面方向となる視線方向から前記液晶表示画素配列部上に配置される前記液晶表示画素の全部又は、一部を遮蔽する点をあげることができる。
【００９５】
（実施形態２１の構成の説明）  実施形態２１の液晶表示構造体と、ソフト保持部と、実行部と、ソフト遮蔽命令取得手段と、に関しては基本的機能は実施形態１９と同一であるために詳細な説明は省略する。
【００９６】
実施形態２１の「液晶画面位置関係情報依存遮蔽手段」は、常に視線方向として液晶画面の略上正面方向となる視線方向及び略下正面方向となる視線方向から前記液晶表示画素配列部上に配置される前記液晶表示画素の全部又は、一部を遮蔽する。すなわち、デフォルトとして、液晶画面の略上正面の視線方向に対する遮蔽面と、液晶画面の略下正面の視線方向に対する遮蔽面と、に関しては自動的にこれらの遮蔽面が形成されるようにあらかじめ設定されている、ということを示している。さらに、その遮蔽面については、液晶表示画素のうち全部又は、一部を遮蔽することがデフォルトとして設定されていることを示している。
【００９７】
実施形態１９において、液晶画面の利用者にとっての上下・左右を示す位置関係を示す情報が取得されるが、この情報に基づいて本実施形態の遮蔽面が形成されるために、常に、略上正面および略下正面の視線方向に対して遮蔽面が形成されることが保証される。
【００９８】
（実施形態２１の効果）  実施形態２１によって、デフォルト値として略上正面および略下正面の視線方向に対して遮蔽面が形成される、という効果を奏する。さらに、実施形態１９との相乗効果により、液晶画面の方向にかかわらず、常に、前記視線方向に対する遮蔽面の形成が保証される。
【図面の簡単な説明】
【００９９】
【図１】実施形態１の機能ブロック図
【図２】遮蔽液晶部の遮蔽面の概念図
【図３】実施形態１における液晶表示画素配列部の全部の遮蔽の概念図
【図４】実施形態１における液晶表示画素配列部の一部の遮蔽の概念図
【図５】実施形態１における電極の概念図
【図６】実施形態２の複数の視線方向と、液晶表示画素配列部の全部の遮蔽の概念図
【図７】実施形態２の複数の視線方向と、液晶表示画素配列部の一部の遮蔽の概念図
【図８】実施形態３の視線方向の概念図
【図９】実施形態３の視線方向と液晶表示画素配列部と遮蔽面の概念図
【図１０】遮蔽液晶部の遮蔽面が二層の場合であり、視線方向から液晶表示画素配列部の全部を遮蔽する場合の概念図
【図１１】遮蔽液晶部の遮蔽面が二層の場合であり、視線方向から液晶表示画素配列部の一部を遮蔽する場合の概念図
【図１２】遮蔽面の間の間隔と、遮蔽角の関係に関する概念図
【図１３】二層の遮蔽面が視線方向から液晶表示画素配列部の全部または一部を遮蔽する場合の見え方をシミュレートした図
【図１４】四層の遮蔽面の場合と二層の遮蔽面の場合における遮蔽角の比較
【図１５】遮蔽面が略垂直の場合の遮蔽角の概念図
【図１６】遮蔽面が略垂直の場合の電極の概念図
【図１７】遮蔽面が所定の角度を有する場合の遮蔽の概念図
【図１８】遮蔽面が所定の角度を有する場合の電極と遮蔽面の形成方法に関する概念図
【図１９】実施形態８の機能ブロック図
【図２０】遮蔽面が角度調節手段を有する場合の概念図
【図２１】遮蔽面が角度調節手段を有する場合の電極と遮蔽面の形成方法に関する概念図
【図２２】実施形態９の機能ブロック図
【図２３】遮蔽面のスイッチング例
【図２４】実施形態１０の機能ブロック図
【図２５】遮蔽面のスイッチング例
【図２６】実施形態１１の機能ブロック図
【図２７】高速スイッチング手段を用いた遮蔽面の形成の概念図
【図２８】実施形態１２の遮蔽面の形成と遮蔽する視線方向の概念図
【図２９】実施形態１２の遮蔽面の形成と遮蔽する視線方向に関する画素レベルでの概念図
【図３０】実施形態１２の遮蔽面の形成による液晶表示画素配列部の見え方の四例
【図３１】遮蔽面に、文字を表示する場合の見え方の例
【図３２】実施形態１４の機能ブロック図
【図３３】実施形態１５の機能ブロック図
【図３４】実施形態１６の機能ブロック図
【図３５】実施形態１７の機能ブロック図
【図３６】実施形態１８の機能ブロック図
【図３７】実施形態１９の機能ブロック図
【図１】
2005107306.tif 000003
【図２】
2005107306.tif 000004
【図３】
2005107306.tif 000005
【図４】
2005107306.tif 000006
【図５】
2005107306.tif 000007
【図６】
2005107306.tif 000008
【図７】
2005107306.tif 000009
【図８】
2005107306.tif 000010
【図９】
2005107306.tif 000011
【図１０】
2005107306.tif 000012
【図１１】
2005107306.tif 000013
【図１２】
2005107306.tif 000014
【図１３】
2005107306.tif 000015
【図１４】
2005107306.tif 000016
【図１５】
2005107306.tif 000017
【図１６】
2005107306.tif 000018
【図１７】
2005107306.tif 000019
【図１８】
2005107306.tif 000020
【図１９】
2005107306.tif 000021
【図２０】
2005107306.tif 000022
【図２１】
2005107306.tif 000023
【図２２】
2005107306.tif 000024
【図２３】
2005107306.tif 000025
【図２４】
2005107306.tif 000026
【図２５】
2005107306.tif 000027
【図２６】
2005107306.tif 000028
【図２７】
2005107306.tif 000029
【図２８】
2005107306.tif 000030
【図２９】
2005107306.tif 000031
【図３０】
2005107306.tif 000032
【図３１】
2005107306.tif 000033
【図３２】
2005107306.tif 000034
【図３３】
2005107306.tif 000035
【図３４】
2005107306.tif 000036
【図３５】
2005107306.tif 000037
【図３６】
2005107306.tif 000038
【図３７】
2005107306.tif 000039